(57)【要約】      （修正有）【課題】プラズマディスプレイ装置及びその画像処理方法を改善して階調表現能力を高めることができるプラズマディスプレイ装置を提供する。【解決手段】このプラズマディスプレイ装置は、外部から入力される映像信号を逆ガンマ補正する逆ガンマ補正部と、前記逆ガンマ補正された映像信号の小数ビットの中で下位ビットはお互いに接する複数個のピクセルを少なくともふたつ以上のタイプで区分と、前記何れ一つのタイプにあたるピクセルの間に誤差拡散を遂行して、前記小数ビットの中で上位ビットは少なくともふたつ以上のディザマスクパターンを利用してディザリングするハーフトーン部と、前記ハーフトーン処理された映像信号を該当のサブフィールドにマッピングするサブフィールドマッピング部を含むことを特徴とし、フリッカー現象を抑制して、具現される画像の歪曲現象を防止することができる效果がある。【選択図】図６
2006023754.tif 000002
【特許請求の範囲】
【請求項１】
複数のアドレス電極を含むプラズマディスプレイパネルと、
外部から入力される映像信号を逆ガンマ補正する逆ガンマ補正部と、 
前記逆ガンマ補正された映像信号の小数ビットの中で下位ビットが少なくとも２つのタイプに区分されたお互いに接する複数個のピクセルを分割し、前記何れか一つのタイプにあたるピクセルの小数ビットの下位ビットの間で誤差拡散を遂行し、前記小数ビットの中で上位ビットのディザリングを少なくともふたつ以上のディザマスクパターンを利用して実行するするハーフトーン部と、
前記ハーフトーン処理された映像信号を該当のサブフィールドにマッピングするサブフィールドマッピング部と、
を含むことを特徴とするプラズマディスプレイ装置。
【請求項２】
前記少なくともふたつ以上のタイプは毎フレーム毎に規則的な順に使われることを特徴とする、請求項１記載のプラズマディスプレイ装置。
【請求項３】
前記少なくともふたつ以上のタイプは毎フレーム毎にランダムした手順で使われることを特徴とする、請求項１記載のプラズマディスプレイ装置。
【請求項４】
前記タイプの個数と前記ディザマスクパターンの個数は等しいことを特徴とする、請求項１記載のプラズマディスプレイ装置。
【請求項５】
前記ディザマスクパターンに従って前記タイプが選択されることを特徴とする、請求項１または４記載のプラズマディスプレイ装置。
【請求項６】
前記タイプに従ってお互いに違う誤差拡散方向を持つことを特徴とする、 請求項１記載のプラズマディスプレイ装置。
【請求項７】
ライン単位でお互いに違う誤差拡散方向を持つことを特徴とする、 請求項１記載のプラズマディスプレイ装置。
【請求項８】
前記誤差拡散係数が予め貯蔵されるルックアップテーブル貯蔵部をさらに含むことを特徴とする、請求項１記載のプラズマディスプレイ装置。
【請求項９】
前記タイプに従ってお互いに違う誤差拡散係数が割り当てされることを特徴とする、請求項１または８記載のプラズマディスプレイ装置。
【請求項１０】
前記何れ一つのタイプで所定のピクセルを中心に接するピクセルの位置に従って誤差拡散係数が決まることを特徴とする、請求項１または８記載のプラズマディスプレイ装置。
【請求項１１】
前記下位ビットの階調値に従って誤差拡散係数が決まることを特徴とする、請求項１または８記載のプラズマディスプレイ装置。
【請求項１２】
(ａ)外部から入力される映像信号を逆ガンマ補正する段階と、 
(ｂ)前記逆ガンマ補正された映像信号の小数ビットの中で下位ビットが少なくとも２つのタイプに割り当てられたお互いに接する複数個のピクセルを分割し、前記何れか一つのタイプにあたるピクセルの小数ビットの下位ビットの間に誤差拡散を遂行し、前小数ビットの中で上位ビットのディザリングの少なくともふたつ以上のディザマスクパターンを利用して実行する段階と、
(ｃ)前記ハーフトーン処理された映像信号を該当のサブフィールドにマッピングする段階と、を含むことを特徴とするプラズマディスプレイ装置の画像処理方法。
【請求項１３】
前記少なくともふたつ以上のタイプは毎フレーム毎に規則的な順に使われることを特徴とする、請求項１２記載のプラズマディスプレイ装置の画像処理方法。
【請求項１４】
前記少なくともふたつ以上のタイプは毎フレーム毎にランダムした手順で使われることを特徴とする、請求項１２記載のプラズマディスプレイ装置の画像処理方法。
【請求項１５】
前記タイプの個数と前記ディザマスクパターンの個数は等しいことを特徴とする、 請求項１２記載のプラズマディスプレイ装置の画像処理方法。
【請求項１６】
前記ディザマスクパターンに従って前記タイプが選択されることを特徴とする、請求項１２または１５記載のプラズマディスプレイ装置の画像処理方法。
【請求項１７】
前記タイプに従ってお互いに違う誤差拡散方向を持つことを特徴とする、請求項１２記載のプラズマディスプレイ装置の画像処理方法。
【請求項１８】
ライン単位でお互いに違う誤差拡散方向を持つことを特徴とする、請求項１２記載のプラズマディスプレイ装置の画像処理方法。
【請求項１９】
前記誤差拡散係数をルックアップテーブルで予め貯蔵する段階をさらに含むことを特徴とする、請求項１２記載のプラズマディスプレイ装置の画像処理方法。
【請求項２０】
前記タイプに従ってお互いに違う誤差拡散係数が割り当てされることを特徴とする、請求項１２または１９記載のプラズマディスプレイ装置の画像処理方法。
【請求項２１】
前記何れ一つのタイプで所定のピクセルを中心に接するピクセルの位置に従って誤差拡散係数が決まることを特徴とする、 請求項１２または１９記載のプラズマディスプレイ装置の画像処理方法。
【請求項２２】
前記下位ビットの階調値に従って誤差拡散係数が決まることを特徴とする、請求項１２または１９記載のプラズマディスプレイ装置の画像処理方法。
【発明の詳細な説明】
【技術分野】
【０００１】
本発明は、プラズマディスプレイ装置に関し、より詳しくはプラズマディスプレイ装置及びその画像処理方法を改善して階調表現能力を高めることができるプラズマディスプレイ装置に関する。
【背景技術】
【０００２】
一般的にプラズマディスプレイ装置(Ｐｌａｓｍａ  Ｄｉｓｐｌａｙ  Ａｐｐａｒａｔｕｓ)は、前面基板と後面基板の間に形成された隔壁と、表示電極対及びアドレス電極対とによって区画された領域が一つの単位セルを成すことで、各セル内にはネオン(Ｎｅ)、ヘリウム(Ｈｅ)またはネオン及びヘリウムの混合気体(Ｎｅ＋Ｈｅ)のような主放電気体と少量のキセノンを含む不活性ガスが充電されてある。高周波電圧によって放電状態となる時、不活性ガスは真空紫外線(Ｖａｃｃｕｍ  Ｕｌｔｒａｖｉｏｌｅｔ  ｒａｙｓ)を発生して、隔壁の間に形成された蛍光体を発光させて画像が具現される。このようなプラズマディスプレイ装置は薄く軽い構成が可能なので次世代ディスプレイ装置として脚光を浴びている。
【０００３】
図１は従来のプラズマディスプレイ装置の画像を具現する方法を示す図である。
【０００４】
図１に示すように、プラズマディスプレイ装置は、一つのフレーム期間を放電回数が互いに異なる複数個のサブフィールドで分けて、入力される映像信号の階調値にあたるサブフィールド期間にプラズマディスプレイパネルを発光させることで画像が具現される。
【０００５】
各サブフィールドは、放電を均一に起こすためのリセット期間、放電セルを選択するためのアドレス期間、及び放電回数に従って階調を具現するサステイン期間で分けられる。例えば、２５６階調で画像を表示しようとする場合に１/６０秒にあたるフレーム期間(１６．６７ｍｓ)は８個のサブフィールドで分けられるようになる。
【０００６】
同時に、８個のサブフィールドそれぞれは、リセット期間、アドレス期間及びサステイン期間にさらに分けられるようになる。ここで、サステイン期間は、各サブフィールドで２Ｎ(Ｎ＝０、１、２、３、４、５、６、７)の割合で増加される。このように各サブフィールドでサステイン期間が変わるようになるので、画像の階調(Ｇｒａｙ  ｌｅｖｅｌ)を具現することができるようになる。
【０００７】
図２は、プラズマディスプレイ装置と陰極線管の輝度特性を比べたグラフである。
【０００８】
図２に示すように、陰極線管(Ｃａｔｈｏｄｅ−Ｒａｙ  Ｔｕｂｅ)及び液晶ディスプレイ(Ｌｉｑｕｉｄ  Ｃｒｙｓｔａｌ  Ｄｉｓｐｌａｙ)は、入力されるビデオ信号に対して、表示される光をアナログ方式で制御して所望の階調を表現するので、一般的に非線形の輝度特性を持つ。これとは別に、プラズマディスプレイ装置は、オン(ｏｎ)/オフ(ｏｆｆ)ができる放電セルのマトリックスアレイを利用して光パルスの数を変調して階調を表現するので、線形の輝度特性を持つ。このようなプラズマディスプレイ装置の階調表現方法をＰＷＭ(Ｐｕｌｓｅ  Ｗｉｄｔｈ  Ｍｏｄｕｌａｔｉｏｎ)方法と言う。 
【０００９】
この時、陰極線管のようなディスプレイ装置は、ディスプレイ電流対輝度の特性は、輝度がディスプレイ電流の２．２乗に比例する特性となるので、放送信号のような入力される外部映像信号は、ディスプレイ電流の２．２乗の逆数にあたる信号を送り出しする。従って、線形的な明るさ特性を持ったプラズマディスプレイ装置は、外部で入力される映像信号を逆ガンマ補正する必要がある。
【００１０】
図３は従来のプラズマディスプレイ装置で逆ガンマ補正を示すグラフである。 
【００１１】
図３で、目標輝度は補正しようとする理想的な逆ガンマ結果を示しており、実際輝度は逆ガンマ補正の後の結果として示す測定された輝度値で、ＰＤＰ輝度は逆ガンマ補正がない状態で測定された輝度値を輝度値３以下の範囲で示すものである。
【００１２】
図３に示すように、目標輝度は０ - ６０まで６１段階の階調値がそれぞれ異なる輝度値に表現される。これと別に、実際輝度は０ - ６０まで６１段階の階調値がただ８種の輝度値に表現される。従って、プラズマディスプレイ装置で逆ガンマ補正が遂行される時暗い領域で十分な階調表現ができなくなって映像が塊るように見える疑似輪郭(Ｃｏｎｔｏｕｒ  Ｎｏｉｓｅ)が発生するようになる問題点がある。
【００１３】
このような、プラズマディスプレイ装置の十分ではない階調表現力を改善するためにディザリング(ｄｉｔｈｅｒｉｎｇ)方法及び誤差拡散(ｅｒｒｏｒ  ｄｉｆｆｕｓｉｏｎ)方法などのハーフトーン(ｈａｌｆ  ｔｏｎｅ)方法を使っている。
【００１４】
先に、誤差拡散方法は、該当のピクセルの階調値が量子化(Quａｎtizａtiｏｎ)された時発生する小数値、すなわち、誤差を隣接するピクセルに影響を与えるようにすることで、捨てられる誤差に対する補正を空間的に解決しようとする方法である。このような、誤差拡散方法は隣接したピクセルに対する誤差拡散係数が一定に設定されて、ライン毎にそしてフレーム毎に繰り返される。これに従って、一定な誤差拡散係数による全体画面に対して等しい誤差拡散パターンが発生される問題点がある。
【００１５】
次に、ディザリング方法は、各ピクセル(Ｐｉｘｅｌ)の階調値をディザマスクの特定しきい値(ｔｈｒｅｓｈｏｌｄ)と比べてキャリー (ｃａｒｒｙ:桁上げ)発生可否を判別する方法である。すなわち、キャリーが発生されたピクセルに対してオン(ｏｎ)を、そうではないピクセルに対してオフ(ｏｆｆ)をさせることで、不足な階調表現力を高める方法である。このような、ディザリング方法は一定なパターンを持っている複数個のディザマスクを利用する。これに従って、一定なディザマスクが繰り返し使われるに従ってディザマスクパターンが画面に表示される問題点がある。
【００１６】
このような誤差拡散方法とディザリング方法の問題点を乗り越えるために、従来には次図４のように、誤差拡散方法とディザリング方法を併用することで、より階調表現力を進めるようとした。
【００１７】
図４は従来の誤差拡散とディザリングを併用する方法を説明するための図である。 
【００１８】
図４に示すように、誤差拡散とディザリングを併用する方法は、先に逆ガンマ補正された映像信号の階調データを整数ビットと小数ビットで区分し、再び、小数ビットを上位ビットと下位ビットで区分する。以後、下位ビットは誤差拡散を遂行してキャリーが発生する場合、これを上位ビットに反映する。また、上位ビットはディザリングを遂行してキャリーが発生する場合、これを整数ビットに反映する。この時、整数ビットをリアル(Ｒｅａｌ)階調と呼び、最終的にリアル階調値を利用してプラズマディスプレイ装置の画像を具現することで、多様な階調表現が可能になる。
【００１９】
一方、誤差拡散とディザリングを併用した方法も次図５のように具現される画像においてフリッカー(ｆｌｉｃｋｅｒ)を発生させる問題点がある。
【００２０】
図５は従来の誤差拡散とディザリングを併用する方法に従って発生される問題点を説明するための図である。
【００２１】
図５に示すように、従来には一定な位置の隣接ピクセルと一定な誤差拡散係数を使って毎フレーム毎に全体ピクセルに対して誤差拡散を遂行するから、毎フレーム毎にお互いに違うディザマスクパターンでディザリングを遂行する時、パターンの間にマッチングにならなくてさまざまな問題点が発生する。 
【００２２】
例えば、図５のように、誤差拡散パターンとタイプＡのディザリングマスクパターンはキャリーが発生するピクセルがお互いにマッチングされて所望の画像が具現される一方、誤差拡散パターンとタイプＢのディザリングマスクパターンはキャリーが発生するピクセルがお互いにマッチングされなくて画像が全然具現されない。このように、誤差拡散パターンとディザリングマスクパターンがマッチングされない場合、表示される画面の輝度差が最大５０%で発生するようになる。このような輝度差に従って画面がちらつくフリッカー(ｆｌｉｃｋｅｒ)現象が発生される。
ここで、図５の誤差拡散及びディザリングのパターンの網掛けされたピクセルは、キャリーが発生するピクセルの位置を示し、表示される画面上のパターンはキャリー可否に従って、実際にオン/オフされるピクセルの位置を示すのである。 
【００２３】
また、前記のような問題に従って元の映像信号のＲ(Ｒｅｄ)、 Ｇ(Ｇｒｅｅｎ)、 Ｂ(Ｂｌｕｅ)それぞれの階調値が歪曲されて、具現される画像の色(ｃｏｌｏｒ)が変質される。
【発明の開示】
【発明が解決しようとする課題】
【００２４】
本発明の目的は、ハーフトーン部及びその方法を改善して階調表現力を高めることができるプラズマディスプレイ装置及びその画像処理方法を提供することにある。 
【００２５】
また、本発明の他の目的は誤差拡散とディザリング方法が同時に適用される場合発生されるフリッカーを抑制することができるプラズマディスプレイ装置及びその画像処理方法を提供することにある。
【００２６】
また、本発明のまた他の目的は具現される画像の歪曲現象を防止することができるプラズマディスプレイ装置及びその画像処理方法を提供することにある。
【課題を解決するための手段】
【００２７】
本発明の一実施例によるプラズマディスプレイ装置は外部から入力される映像信号を逆ガンマ補正する逆ガンマ補正部；前記逆ガンマ補正された映像信号の素数ビットの中で下位ビットはお互いに接する複数個のピクセルを少なくともふたつ以上のタイプで区分と、  前記何れ一つのタイプにあたるピクセルの間に誤差拡散を遂行して、前記素数ビットの中で上位ビットは少なくともふたつ以上のディザマスクパターンを利用してディザリングするハーフトーン部；及び前記ハーフトーン処理された映像信号を該当のサブフィールドにマッピングするサブフィールドマッピング部を含むことを特徴とする。
【００２８】
本発明の一実施例によるプラズマディスプレイ装置の画像処理方法は(ａ)外部から入力される映像信号を逆ガンマ補正する段階； (ｂ)前記逆ガンマ補正された映像信号の素数ビットの中で下位ビットはお互いに接する複数個のピクセルを少なくともふたつ以上のタイプで区分と、前記何れ一つのタイプにあたるピクセルの間に誤差拡散を遂行して、前記素数ビットの中で上位ビットは少なくともふたつ以上のディザマスクパターンを利用してディザリングする段階；及び(c)前記ハーフトーン処理された映像信号を該当のサブフィールドにマッピングする段階を含むことを特徴とする。 
【００２９】
本発明の少なくともふたつ以上のタイプは毎フレーム毎に規則的な順に使われることを特徴とする。
【００３０】
本発明の少なくともふたつ以上のタイプは毎フレーム毎にランダムした手順で使われることを特徴とする。
【００３１】
本発明のタイプの個数と前記ディザマスクパターンの個数は等しいことを特徴とする。
【００３２】
本発明はディザマスクパターンに従って前記タイプが選択されることを特徴とする。 
【００３３】
本発明はタイプに従ってお互いに違う誤差拡散方向を持つことを特徴とする。 
【００３４】
本発明はライン単位でお互いに違う誤差拡散方向を持つことを特徴とする。 
【００３５】
本発明は誤差拡散係数が予め貯蔵されるルックアップテーブル貯蔵部をさらに含むことを特徴とする。
【００３６】
本発明はタイプに従ってお互いに違う誤差拡散係数が割り当てされることを特徴とする。
【００３７】
本発明の何れ一つのタイプで所定のピクセルを中心に接するピクセルの位置に従って誤差拡散係数が決まることを特徴とする。
【００３８】
本発明は下位ビットの階調値に従って誤差拡散係数が決まることを特徴とする。
【発明の効果】
【００３９】
本発明のプラズマディスプレイ装置はハーフトーン部及びその方法を改善することで、階調表現力を進めることができる效果がある。
【００４０】
また、本発明は誤差拡散とディザリング方法が同時に適用される場合発生されるフリッカーを抑制することができる效果がある。
【００４１】
また、本発明は具現される画像の歪曲現象を防止することができる效果がある。
本発明はアドレス電極に充電される陽イオンの数が縮んでパネルの寿命が延ばされて輝度の減少が最小化されるだけでなくスキャン電極とサステイン電極に印加されるバイアス電圧の大きさが同様として漏洩する電力の大きさを減らすことができる效果がある。 
【発明を実施するための最良の形態】
【００４２】
以下では本発明による具体的な実施例を添付された図面を参照して説明する。
【００４３】
図６は本発明の一実施例によるプラズマディスプレイ装置を説明するためのブロック図である。
【００４４】
図６に示すように、本発明の一実施例によるプラズマディスプレイ装置は、逆ガンマ補正部(６１０)、利得制御部(６２０)、ハーフトーン部(６３０)、サブフィールドマッピング部(６４０)、データ整列部(６５０)及びデータ駆動部(６６０)を具備する。
【００４５】
逆ガンマ補正部(６１０)は、入力される映像信号を逆ガンマ補正して、入力される映像信号の階調値による表示される輝度値を線形的に変換させる。
【００４６】
利得制御部(６２０)は、逆ガンマ補正部(６１０)に従って逆ガンマ補正されたＲ(Ｒｅｄ)、Ｇ(Ｇｒｅｅｎ)及びＢ(Ｂｌｕｅ)の映像信号に対して使用者(Ｕｓｅｒ)またはセットメーカー(Ｓｅｔ  ｍａｋｅｒ)に従って調整されることができる利得値を掛けて、赤色、緑及び青色別に利得(Ｇａｉｎ)を調整する。この時、利得制御部(６２０)に従って、使用者またはセットメーカーは所望の色温度を設定することができる。
【００４７】
ハーフトーン部(６３０)は、利得制御部(６２０)から入力される映像信号に対してハーフトーン処理することで、階調値に従って表示される輝度値を微細に調節して階調表現力を高めることができる。
【００４８】
本発明の一実施例によるハーフトーン部(６３０)は、逆ガンマ補正された映像信号の小数ビット(decimal bit)の中で下位ビットはお互いに接する複数個のピクセルを少なくともふたつ以上のタイプで区分し、何れか一つのタイプにあたるピクセルの間に誤差拡散を遂行して、誤差拡散を通じて発生したキャリーを小数ビットの中で上位ビットに反映する。キャリーが反影された上位ビットは、少なくともふたつ以上のディザマスクパターンを利用してディザリングを遂行して、ディザリングを通じて発生したキャリーは整数ビット(integer bit)に反映する。
【００４９】
この時、本発明の一実施例では誤差拡散タイプに従ってお互いに違う誤差拡散係数を割り当てて、何れか一つのタイプでは所定のピクセルを中心に接するピクセルの位置及び中心ピクセルの階調値に従って誤差拡散係数が決まる。このような誤差拡散係数をルックアップテーブル貯蔵部(６３１)に予め貯蔵することで、プラズマディスプレイ装置駆動の時リアルタイムで誤差拡散を遂行する。すなわち、ハーフトーン部(６３０)は、ルックアップテーブル貯蔵部(６３１)から誤差拡散係数情報の入力を受けて誤差拡散を遂行する。誤差拡散係数ルックアップテーブル貯蔵部(６３１)は、ハーフトーン部(６３０)の内部または外部に具備される。
【００５０】
この時、ハーフトーン部(６３０)は、少なくともふたつ以上のタイプを組み合わせてフレーム毎に規則的な手順で使うとか、または少なくともふたつ以上のタイプを毎フレーム毎にランダムに選択した手順で使うようにする。 
【００５１】
また、本発明の一実施例によるハーフトーン部(６３０)は、ディザマスクパターンに従って何れか一つのタイプを選択して使う。望ましくは、タイプの個数はディザマスクパターンの個数と等しくする。 
【００５２】
また、ハーフトーン部(６３０)は、誤差拡散のタイプまたはプラズマディスプレイパネルのピクセルラインに従ってお互いに違う誤差拡散方向を持つようにする。ハーフトーン部(６３０)の動作特性に関するより詳細な説明は以後記述する事にする。
【００５３】
サブフィールドマッピング部(６４０)は、ハーフトーン部(６３０)から入力された映像信号を予め設定されたサブフィールドマッピングテーブルにマッピングする。
【００５４】
データ整列部(６５０)は、サブフィールドマッピング部(６４０)から入力される空間的に整列されたサブフィールドマッピングデータを時間的なデータに整列する。
【００５５】
データ駆動部(６６０)は、データ整列部(６５０)に従って時間的に整列されたデータの入力を受けて、プラズマディスプレイパネルのアドレス電極(図示せず)にアドレス駆動パルスを供給することで、プラズマディスプレイパネルの画像を具現するようになる。なお、アドレス電極、アドレスパルスはデータ電極、データパルスということもある。
【００５６】
図７は本発明の一実施例による誤差拡散方法を説明するための図である。 
【００５７】
図７に示すように、本発明の一実施例による誤差拡散方法は、従来にディザリングと誤差拡散を併用する方法でパターンに従ってキャリーが発生するピクセルがお互いにマッチングにならない問題点を解決するため、お互いに接する複数個のピクセルを少なくともふたつ以上のタイプで区分し、毎フレーム毎に何れか一つのタイプにあたるピクセル間で誤差拡散を遂行する。
【００５８】
例えば、図７のように、先に、ピクセルＰとピクセルＰ’をそれぞれ中心ピクセルで設定して、中心ピクセルＰを中心にするＡタイプと、中心ピクセルＰ’を中心にするＢタイプの二つのタイプで区分する。ここで、中心ピクセルは接するピクセルから誤差の拡散を受けるピクセルである。
【００５９】
以後、Ｎ番目フレーム期間の間、Ａタイプのピクセルを利用して誤差拡散を遂行する。
【００６０】
すなわち、ピクセル１に割り当てされる小数ビットの下位ビットには誤差拡散係数ｃ１を掛けて、ピクセル２に割り当てされる小数ビットの下位ビットには誤差拡散係数ｃ２を掛けて、ピクセル３に割り当てされる小数ビットの下位ビットには誤差拡散係数をｃ３を掛ける。このように、ピクセル１、 ２、 ３それぞれの下位ビットに誤差拡散係数ｃ１、ｃ２、ｃ３をそれぞれ掛けた値を皆合算して中心ピクセルＰに拡散する誤差成分を演算する。ここで、誤差成分とは下位ビットに誤差拡散係数を掛けて中心ピクセルに拡散する値である。このような誤差成分を中心ピクセルＰの下位ビットに加えた後、キャリー発生有り無しに従って小数ビットの上位ビットに反映する。反影後、ピクセルＰの変更された下位ビットを再びＡタイプの接するピクセルに対して誤差拡散を遂行する。
【００６１】
以後、 Ｎ＋１番目フレーム期間の間、 Ａ'タイプのピクセルを利用して誤差拡散を遂行する。
【００６２】
すなわち、ピクセル１’に割り当てされる小数ビットの下位ビットには誤差拡散係数ｃ１’を掛けて、ピクセル２'に割り当てされる小数ビットの下位ビットには誤差拡散係数ｃ２'を掛けて、ピクセル３'に割り当てされる小数ビットの下位ビットには誤差拡散係数をｃ３'を掛ける。このように、ピクセル１’、 ２'、 ３'それぞれの下位ビットに誤差拡散係数ｃ１’、ｃ２'、ｃ３'をそれぞれ掛けた値を皆合算して中心ピクセルＰ’で拡散する誤差成分を演算する。ここで、誤差成分とは下位ビットに誤差拡散係数を掛けて中心ピクセルに拡散する値である。このような誤差成分を中心ピクセルＰ’の下位ビットに加えた後、キャリー発生有り無しに従って素数ビットの上位ビットに反映する。反影後、ピクセルＰ’の変更された下位ビットを再びＡ'タイプの接するピクセルに対して誤差拡散を遂行する。
【００６３】
このように、 ＡタイプとＡ'タイプのピクセルにあたる誤差拡散を各フレーム毎に選択的に遂行することで、 ＡタイプとＡ'タイプのピクセルの間にはお互いに影響を及ぼさない。これで、それぞれのフレームで全体画面はお互いに違う誤差拡散パターンの様相を持つようになる。 
【００６４】
この時、本発明の一実施例によるタイプの選択はそれぞれのフレームから規則的な手順で使う。毎フレーム毎に規則的な手順で複数個のタイプを使うことで、誤差拡散が全体ピクセルに対して均等に遂行される。 
【００６５】
また、本発明の他の実施例ではタイプの選択をそれぞれのフレームに対してランダムした手順で使う。毎フレーム毎にランダムした手順で複数個のタイプを使うことで、具現される画像で誤差拡散パターンが規則的に現われることを抑制することができる。 
【００６６】
図８は本発明の一実施例による誤差拡散方法に従って全体画面で誤差拡散が遂行される様相を概略的に示す図である。
【００６７】
図８に示すように、本発明の一実施例では全体画面のピクセルに対して１に表示されたピクセルと２に表示されたピクセルで二つのタイプで区分して誤差拡散を遂行する。すなわち、 Ｎ番目フレームで１に表示されたピクセルの間に誤差拡散を遂行して、Ｎ＋１フレームで２に表示されたピクセルの間に誤差拡散を遂行する。
【００６８】
ここで、従来の誤差拡散方向が全体ピクセルに対して等しい方向を持つに従って、具現される画像で一定な方向性を持つ誤差拡散パターンが発生される。このような、一定な方向性を持つ誤差拡散パターンはディザリング遂行の時マッチングを阻害する要素と作用することを考慮して、本発明の一実施例では一フレーム間誤差拡散方向が一定な方向を持たないようにする。
【００６９】
すなわち、本発明の一実施例ではライン単位でお互いに違う誤差拡散方向を持つようにする。例えば、図８のように、一フレーム間選択されるピクセルの間に誤差拡散を遂行するが、画面の水平方向に対してある一ラインは左側ピクセルから右側ピクセルで誤差拡散を遂行して、その次のラインは右側ピクセルから右側ピクセルで誤差拡散を遂行する。これで、一定な方向性を持つ誤差拡散パターンが抑制される事に従ってディザリング遂行の時ディザマスクパターンとマッチングにならない問題点を乗り越えることができる。
【００７０】
また、本発明の他の実施例では選択されるタイプに従ってお互いに違う誤差拡散方向を持つようにする。誤差拡散方向は選択されるタイプに従って画面の左側から右側に進行することと同時に、上側から下側に進行する第１方向性を持つ。また、誤差拡散方向は、選択されるタイプに従って、画面の左側から右側に進行することと同時に、下側から上側に進行する第２方向性を持つ。また、誤差拡散方向は、選択されるタイプに従って、右側から左側に進行することと同時に、上側から下側に進行する第３方向性を持つ。また、誤差拡散方向は、選択されるタイプに従って、右側から左側に進行することと同時に、下側から上側に進行する第４方向性を持つ。このように、タイプに従ってお互いに違う誤差拡散方向を持つ複数のフレームを累積することで、一定な方向性を持つ誤差拡散パターンを抑制することができる。また、一つのフレーム間選択されるタイプの誤差拡散方向性を考慮してマッチングを最大限させることができるディザマスクのパターンを決める。これで、ディザリング遂行の時ディザマスクパターンとマッチングにならない問題点を乗り越えることができる。
【００７１】
図９は本発明の一実施例による誤差拡散係数が貯蔵されるルックアップテーブルを概略的に示す図である。
【００７２】
図９に示すように、本発明の一実施例ではタイプに従ってお互いに違う誤差拡散係数が割り当てされる複数個のルックアップテーブルを具備する。これは、選択される誤差拡散タイプとこれによる何れ一つのディザマスクパターンとのお互いにマッチングされる程度を最適化するためのことである。ここで、誤差拡散係数は、中心ピクセルを中心に接するピクセルそれぞれの位置に従って決まる中心ピクセルに誤差成分が反影される加重値を与える。
【００７３】
この時、従来に誤差拡散係数が一定な値に固定されることと違い、本発明の一実施例による何れか一つのタイプに割り当てされるルックアップテーブルでは、所定のピクセルを中心に接するピクセルの位置に従って誤差拡散係数が決まることと同時に、その位置のピクセルに割り当てされる下位ビットの階調値に従って誤差拡散係数が決まる。すなわち、選択されるタイプで隣接ピクセルの位置と階調値に従って誤差拡散係数を決めることで、規則的に現われる誤差拡散パターンを抑制することができる。また、何れか一つのディザマスクパターンとのマッチング程度を考慮して、隣接ピクセルの位置と階調値に従って誤差拡散係数を決めることで、誤差拡散とディザリングの併用においてより細密で、信頼性あるマッチングが成り立つ。 
【００７４】
例えば、図９では図７及び図８でＡタイプとＢタイプの二つのタイプに従って二つのルックアップテーブルが具備される。 Ａタイプ用ルックアップテーブルには図７及び図８で接するピクセルの位置ｃ１、ｃ２及びｃ３に従って、そして下位ビットが４ビットである時持つことができる１６(２４＝１６)種類の階調値に従って最適化された誤差拡散係数が決まって貯蔵される。 Ｂタイプ用ルックアップテーブルには図７及び図８で接するピクセルの位置ｃ１’、 ｃ２'及びｃ３'に従って、そして下位ビットが４ビットである時持つことができる１６(２４＝１６)種類の階調値に従って最適化された誤差拡散係数が決まって貯蔵される。
【００７５】
図１０は、本発明の一実施例による誤差拡散とディザリングを併用する方法を説明するための図である。
【００７６】
図１０の誤差拡散及びディザリングのパターンでは、ピクセルはキャリーが発生するピクセルの位置を示すことで、表示される画面のパターンはキャリー可否に従って実際にオン/オフされるピクセルの位置を示すのである。 
【００７７】
図１０の(ａ)は、誤差拡散のタイプの個数とマッチングされるディザマスクパターンの個数を等しくして、これに従ってディザマスクパターンとのマッチングが最適化される何れか一つの誤差拡散タイプが選択、使用されている。これで、従来のマッチング問題を解決することができる。同時に、輝度が急変しないのでフリッカーが発生されることを防止することができるし、 Ｒ、 Ｇ、 Ｂそれぞれの映像信号に等しく適用されるので画像の歪曲が抑制される。
【００７８】
図１０の(ｂ)は、複数個の誤差拡散のタイプの中で少なくともふたつ以上のディザマスクパターンに従って何れか一つの誤差拡散タイプを選択、使用したものである。すなわち、本発明の一実施例による誤差拡散タイプ、誤差拡散方向性及び誤差拡散係数の特徴に従って、規則的に現れる誤差拡散パターンが低減される。一定な誤差拡散パターンが低減される事に従って従来に極端的に現われるキャリーがマッチングされない問題が解決される。従って、本発明の一実施例では少なくともふたつ以上のディザマスクパターンに対して一つの誤差拡散タイプを混用することが可能である。示された二つのフレームはそれぞれ等しい輝度値に表示される。これで、フリッカー現象を防止して、画像の歪曲が抑制されるので、具現される画像の階調表現力が向上する。
【図面の簡単な説明】
【００７９】
【図１】従来のプラズマディスプレイ装置の画像を具現する方法を示す図。
【図２】プラズマディスプレイ装置と陰極線管の輝度特性を比べたグラフ。
【図３】従来のプラズマディスプレイ装置で逆ガンマ補正を示すグラフ。
【図４】従来の誤差拡散とディザリングを混用する方法を説明するための図。
【図５】従来の誤差拡散とディザリングを混用する方法に従って発生される問題点を説明するための図。
【図６】本発明の一実施例によるプラズマディスプレイ装置を説明するためのブロック
【図７】本発明の一実施例による誤差拡散方法を説明するための図。
【図８】本発明の一実施例による誤差拡散方法に従って全体画面で誤差拡散が遂行される様相を概略的に示す図。
【図９】本発明の一実施例による誤差拡散係数が貯蔵されるルックアップテーブルを概略的に示す図であり、
【図１０】本発明の一実施例による誤差拡散とディザリングを混用する方法を説明するための図である。
【図１】
2006023754.tif 000003
【図２】
2006023754.tif 000004
【図３】
2006023754.tif 000005
【図４】
2006023754.tif 000006
【図５】
2006023754.tif 000007
【図６】
2006023754.tif 000008
【図７】
2006023754.tif 000009
【図８】
2006023754.tif 000010
【図９】
2006023754.tif 000011
【図１０】
2006023754.tif 000012